(57)【要約】【課題】  良好に製造できて着用感に優れる使い捨ておむつを提供する。【解決手段】  おむつ本体３４は背部にあてがわれる後背部３１と腹部にあてがわれる前腹部３２とそれら後背部３１と前腹部３２間に連なって設けられる股部３３とを備え、股部３３に後背部３１から前腹部３２にわたる縦長の吸収体３５が備えられる。吸収体３５における幅方向両側部の長手方向に沿ってそれぞれ内向きに起立可能とされた立体ギャザー部６８が備えられる。吸収体３５は、所定形状に成形された液保持性を有する吸液マット部４２を備えると共に、吸液マット部４２は一層のマット体４４からなり、各立体ギャザー部６８の長さが、吸収体３５の長手方向長さの６８〜７２％とされている。【選択図】  図２
2006247010.tif 000002
【特許請求の範囲】
【請求項１】
背部にあてがわれる後背部と腹部にあてがわれる前腹部とそれら後背部と前腹部間に連なって設けられる股部とを備え、該股部に後背部から前腹部にわたる縦長の吸収体が備えられると共に、該吸収体における幅方向両側部の長手方向に沿ってそれぞれ内向きに起立可能とされた立体ギャザー部が備えられてなる使い捨て吸収性物品において、
前記吸収体は、所定形状に成形された液保持性を有する吸液マット部を備えると共に、該吸液マット部は一層のマット体からなり、
前記各立体ギャザー部の長さが、前記吸収体の長手方向長さの６８〜７２％とされていることを特徴とする使い捨て吸収性物品。
【請求項２】
請求項１に記載の使い捨て吸収性物品において、
前記各立体ギャザー部の長さが、３５５〜３７０ｍｍとされていることを特徴とする使い捨て吸収性物品。
【請求項３】
請求項１または請求項２に記載の使い捨て吸収性物品において、
前記マット体に含まれるパルプ繊維の坪量が１７０〜２００ｇ／ｍ2 であることを特徴とする使い捨て吸収性物品。
【請求項４】
請求項１ないし請求項３のいずれかに記載の使い捨て吸収性物品において、
前記吸収体の前記立体ギャザー部が、吸収体のその他の部位と異なる識別色を有した構造とされたことを特徴とする使い捨て吸収性物品。
【発明の詳細な説明】
【技術分野】
【０００１】
本発明は、パンツ型の使い捨ておむつ等のような使い捨て吸収性物品の改良に関するものである。
【背景技術】
【０００２】
従来、この種の使い捨て吸収性物品として、例えば、パンツ型の使い捨ておむつがあり、その展開状態においては、図５に示されるように、着用者の背部にあてがわれる後背部１と、腹部にあてがわれる前腹部２と、それら後背部１と前腹部２間に連なって設けられると共に両側部が切欠状とされて若干幅狭に形成され、着用者の股部にあてがわれる股部３とを有するおむつ本体４と、股部３に後背部１から前腹部２にわたって貼着されたいわゆる縦長の吸収体５とを備えた構造とされている。
【０００３】
前記おむつ本体４は、図６に示されるように、互いに重合状に接合された内層シート６と外層シート７とを備え、後背部１や前腹部２における腰部周り、腹部周りにそれぞれ対応した内層シート６と外層シート７との間には、ウエストギャザー形成用弾性部材８やボディギャザー形成用弾性部材９がそれぞれ伸長状態で介在されると共に、股部３における脚部周りに対応した部分にはレッグギャザー形成用弾性部材１０が伸張状態で介在された構造とされている。
【０００４】
そして、おむつ本体４は、二つ折り状態で後背部１の両側端部と前腹部２の両側端部とが超音波溶着等により互いに接合されて、腰周り開口部と一対の脚周り開口部とを備えたいわゆるパンツ型に構成される。
【０００５】
また、吸収体５は、図７にも示されるように、液保持性を有する吸液マット部１２と、該吸液マット部１２を包むように覆う透液性を有する被覆シート１３とを備え、所定形状に成形された構造とされている。そして、吸液マット部１２は、図５や図８に示されるような大形形状の上層マット体１４を透液性シート１５で包んだ上層吸液部１２ａと、図５や図９に示されるような上層マット体１４よりも僅かに小形形状の下層マット体１６を透液性シート１７で包んだ下層吸液部１２ｂとの二層構造とされている。
【０００６】
さらに、吸収体５における肌面側の幅方向両側部には、その長手方向に沿ってサイドシート１８がそれぞれ接合されており、各サイドシート１８の内側端縁部にはそれぞれ立体ギャザー形成用弾性部材１９が伸張状態で介在されている。
【０００７】
また、貼着された吸収体５の両端部が直接肌に当たらないように、吸収体５の長手方向両端部が後背部１および前腹部２にそれぞれ重合状に接合されたエンド押さえシート２０、２１により被覆された構造とされ、そして、図６に示されるように、外層シート７の端部はそれぞれエンド押さえシート２０、２１の上面側に折り返されて重合状に接合された構造とされていた。
【０００８】
このようなパンツ型の使い捨ておむつとして、例えば特許文献１に開示のようなものがある。
【０００９】
また、このような使い捨ておむつを製造するラインとして、メイン製造ラインで連続状に順次製造されるおむつ本体４の股部３上に、吸収体製造ラインで順次製造される吸収体５を順次供給して貼着し、その後、各エンド押さえシート２０、２１を接合する。
【００１０】
さらにその後、後背部１と前腹部２とが互いに重合状となるように折り返された状態で、後背部１と前腹部２の両側端部に対応した位置で超音波溶着等により互いに接合し、所定位置で切断することにより、所望の使い捨ておむつを順次製造する方法が、一般に採用されている。例えば特許文献２に開示のようなものがある。
【００１１】
【特許文献１】特開平８−２８０７３９号公報
【特許文献２】特開２００１−３１４４４１号公報
【発明の開示】
【発明が解決しようとする課題】
【００１２】
一方、このような使い捨ておむつの利用方法として、尿取り用パッドと併用して用い、尿取り用パッドだけを交換することで、使い捨ておむつの使用枚数を節約するいわゆるおむつカバー方式として利用する利用者も多い。
【００１３】
このように使い捨ておむつをおむつカバー方式として利用する場合、吸収体５が上層マット体１４と下層マット体１６とを備えた二層構造とされているため、尿取り用パッドの併用によっていわゆる三層構造となり、着用時においてはかなりのごわごわ感が生じ、着用感に難点があった。
【００１４】
そこで、単純に下層マット体１６側の下層吸液部１２ｂを省略して、吸収体５を上層マット体１４側の上層吸液部１２ａのみからなる一層構造とした場合、着用時のごわごわ感が解消され、着用感の向上が図れると考えられる。
【００１５】
しかしながら、吸収体５を上層吸液部１２ａのみからなる一層構造とした場合、吸収体５自体の剛性が弱くなるため、伸長状態で介在された立体ギャザー形成用弾性部材１９の収縮力により立体ギャザー部が立ち上がって不用意に形状変形するおそれが大であり、使い捨ておむつの製造ラインで、吸収体５をおむつ本体４の股部３上に供給して貼着する際、所定の姿勢で供給し辛く、貼着不良を生じるおそれが大となる。
【００１６】
そこで、本発明の解決すべき課題は、良好に製造できて着用感に優れる使い捨て吸収性物品を提供することを目的とする。
【課題を解決するための手段】
【００１７】
上記の課題を解決するため、請求項１の発明では、背部にあてがわれる後背部と腹部にあてがわれる前腹部とそれら後背部と前腹部間に連なって設けられる股部とを備え、該股部に後背部から前腹部にわたる縦長の吸収体が備えられると共に、該吸収体における幅方向両側部の長手方向に沿ってそれぞれ内向きに起立可能とされた立体ギャザー部が備えられてなる使い捨て吸収性物品において、前記吸収体は、所定形状に成形された液保持性を有する吸液マット部を備えると共に、該吸液マット部は一層のマット体からなり、前記各立体ギャザー部の長さが、前記吸収体の長手方向長さの６８〜７２％とされている構造とされている。
【００１８】
また、請求項２の発明では、請求項１の発明に係る使い捨て吸収性物品において、前記各立体ギャザー部の長さが、３５５〜３７０ｍｍとされている構造とされている。
【００１９】
さらに、請求項３の発明では、請求項１または請求項２の発明に係る使い捨て吸収性物品において、前記マット体に含まれるパルプ繊維の坪量が１７０〜２００ｇ／ｍ2 である構造とされている。
【００２０】
また、請求項４の発明では、請求項１ないし請求項３のいずれかの発明に係る使い捨て吸収性物品において、前記吸収体の前記立体ギャザー部が、吸収体のその他の部位と異なる識別色を有した構造とされている。
【発明の効果】
【００２１】
請求項１に記載の発明に係る使い捨て吸収性物品においては、吸収体は、所定形状に成形された液保持性を有する吸液マット部を備えると共に、該吸液マット部は一層のマット体からなり、各立体ギャザー部の長さが、吸収体の長手方向長さの６８〜７２％とされた構造であり、吸収体が一層のマット体からなる一層構造であっても、立体ギャザー部の長さを従来と比較して短くしたため、立体ギャザー部の収縮力による吸収体の形状変形作用が軽減され、使い捨て吸収性物品の製造時における不良発生が有効に防止でき、良好に製造できる利点がある。
【００２２】
また、吸収体が一層のマット体からなる構造とされているため、いわゆる薄型タイプの使い捨て吸収性物品となり、着用感に優れるという利点もある。従って、前述のように尿取り用パッドと併用して使用した場合においても、ごわごわ感が有効に解消され、着用感に優れる利点がある。
【００２３】
また、請求項２に記載の発明によれば、各立体ギャザー部の長さが、３５５〜３７０ｍｍとされているため、立体ギャザー部による形状変形作用が効果的に軽減でき、使い捨て吸収性物品の製造時における不良発生が有効に防止できると共に、立体ギャザー部として支障のない長さも確保できる。
【００２４】
さらに、請求項３に記載の発明によれば、マット体に含まれるパルプ繊維の坪量が１７０〜２００ｇ／ｍ2 である構造とされており、マット体が一層構造の吸収体であっても適度な剛性と、適度な吸液性能を発揮でき、使い捨て吸収性物品の製造時における不良発生が有効に防止できる利点がある。
【００２５】
また、請求項４に記載の発明によれば、吸収体の立体ギャザー部が、吸収体のその他の部位と異なる識別色を有した構造とされているため、立体ギャザー部の位置が容易に視認でき、尿取り用パッドを併用して使用する場合に、両立体ギャザー部間に尿取り用パッドを容易迅速に配置することができ、使い勝手に優れる利点がある。
【発明を実施するための最良の形態】
【００２６】
＜実施形態＞
以下、本発明の実施形態を図面に基づいて説明すると、図１ないし図４に示されるように、使い捨て吸収性物品の一例としてのパンツ型の使い捨ておむつ３０は、前述同様、着用者の背部にあてがわれる後背部３１と、腹部にあてがわれる前腹部３２と、それら後背部３１と前腹部３２間に連なって設けられると共に両側部が切欠状とされて若干幅狭に形成され、着用者の股部にあてがわれる股部３３とを有するおむつ本体３４と、股部３３に後背部３１から前腹部３２にわたってホットメルト接着剤等により貼着されたいわゆる縦長の吸収体３５とを備えた構造とされている。
【００２７】
そして、二つ折り状態とされたおむつ本体３４における後背部３１の両側端部３１ａと前腹部３２の両側端部３２ａとが、超音波溶着等により互いに接合されて接合部６１が形成され、ここに、図１に示されるように、後背部３１と前腹部３２とにより周方向環状の腰周り開口部６２が形成されると共に、股部３３の両側に脚周り開口部６３がそれぞれ形成されたいわゆるパンツ型に構成されている。
【００２８】
前記おむつ本体３４は、図３に示されるように、ホットメルト接着剤等により互いに重合状に接合された内層シート３６と外層シート３７とを備え、後背部３１や前腹部３２における腰部周り、腹部周りにそれぞれ対応した内層シート３６と外層シート３７との間には、ウエストギャザー形成用弾性部材３８、ボディギャザー形成用弾性部材３９がそれぞれ伸長状態で介在され、ウエストギャザー形成用弾性部材３８やボディギャザー形成用弾性部材３９の伸縮作用により腰部周りや腹部周りに柔軟にフィットするウエストギャザー部６５やボディギャザー部６６が構成されている。
【００２９】
また、股部３３における脚部周りに対応した内層シート３６と外層シート３７との間には、レッグギャザー形成用弾性部材４０が伸張状態で介在されており、レッグギャザー形成用弾性部材４０の伸縮作用により脚部周りに柔軟にフィットするレッグギャザー部６７が構成されている。
【００３０】
そして、内層シート３６や外層シート３７は撥水性を有するシート材、例えば、スパンボンド不織布等の撥水性不織布により形成されている。また、各弾性部材３８，３９，４０としては、通常使い捨ておむつに用いられる弾性伸縮材料（ポリウレタン糸、ポリウレタンフィルム、天然ゴム等）が用いられ、伸張状態でホットメルト接着剤、熱溶着、超音波溶着等の貼着手段によりそれぞれの所定部位に貼着される構造とされている。
【００３１】
前記吸収体３５は、図４にも示されるように、液保持性を有する吸液マット部４２と、該吸液マット部４２を包むように覆う透液性を有する被覆シート４３とを備え、所定形状に成形された構造とされている。そして、本実施形態において、吸液マット部４２は、図２や図４に示されるように、前記従来構造の上層マット体１４と同様形状のマット体４４を透液性シート４５で包んだ一層のみからなる一層構造とされている。
【００３２】
この際、吸液マット部４２におけるマット体４４は、粉砕したパルプ繊維の坪量を１７０〜２００ｇ／ｍ2 とし、粒状の高分子吸収体、即ち吸水性ポリマーサップの坪量を１３０〜１８０ｇ／ｍ2 として混合してなり、その塊をティッシュペーパー等の紙シートまたは透液性不織布シート等の透液性シート４５で包み、所定形状に成形した構造とされている。そして、本実施形態においては、例えば、マット体４４はパルプ繊維の坪量が略１８０ｇ／ｍ2 （重さで１２．０ｇ）とされると共に、吸水性ポリマーサップの坪量が略１３５ｇ／ｍ2 （重さで８．５ｇ）とされ、これらを混合した構造とされている。
【００３３】
一方、従来の二層構造における吸液マット部１２においては、例えば、上層マット体１４は、パルプ繊維の坪量が略１５１ｇ／ｍ2 （重さで９．５ｇ）とされると共に、吸水性ポリマーサップの坪量が略１３５ｇ／ｍ2 （重さで８．５ｇ）とされてこれらを混合した構造とされ、また、下層マット体１６は、パルプ繊維の坪量が略１３６ｇ／ｍ2 （重さで６．０ｇ）とされると共に、吸水性ポリマーサップの坪量が略１７０ｇ／ｍ2 （重さで７．５ｇ）とされてこれらを混合した構造とされていた。
【００３４】
従って、本マット体４４は、従来の上層マット体１４と下層マット体１６との二層構造とされた場合よりも吸液性能が劣るものの、上層マット体１４或いは下層マット体１６のいずれか一方のみよりも多くの吸液性能を発揮でき、ここに、本実施形態における吸液マット部４２は、従来の吸液マット部１２のような二層構造に比較していわゆる薄型タイプの構造とされている。
【００３５】
また、前記被覆シート４３は、肌面側のトップシート４３ａおよびそれ以外の周囲を覆うバックシート４３ｂの双方を透液性の不織布等により構成してもよく、或いは少なくともトップシート４３ａを透液性の不織布等により構成し、バックシート４３ｂを撥水性の不織布等により構成してもよい。
【００３６】
さらに、吸収体３５における肌面側の幅方向両側部には、その長手方向に沿ってサイドシート４８がそれぞれホットメルト接着剤等により接合されており、各サイドシート４８の内側端縁部にはそれぞれ立体ギャザー形成用弾性部材４９が伸張状態で介在されている。そして、これら立体ギャザー形成用弾性部材４９の伸縮作用により、着用者の肌側に柔軟に押し付けられるべく内向きに起立する立体ギャザー部６８が構成されている。このようなサイドシート４８は不透液性シート、例えば不透液性のプラスチックフィルムや撥水性不織布等により構成されている。また、立体ギャザー形成用弾性部材４９は前記弾性部材３８，３９，４０と同様の伸縮性材料が用いられ、同様に、ホットメルト接着剤等により所定部位に貼着される構造とされている。
【００３７】
特に、本実施形態においては、立体ギャザー形成用弾性部材４９として例えば青色等に着色された伸縮性材料が使用され、吸収体３５のその他の部位は白色に構成されている。ここに、立体ギャザー部６８は、吸収体３５のその他の部位と異なる識別色を有した立体ギャザー形成用弾性部材４９を有した構造とされている。
【００３８】
この際、左右の各立体ギャザー部６８の長さＰが、吸収体３５の長手方向長さＱの６８〜７２％とされている。例えば、吸収体３５の長手方向長さＱ、即ち全長が５１５ｍｍの場合、各立体ギャザー部６８の長さＰが３５５〜３７０ｍｍとされ、本実施形態においては、吸収体３５の長手方向長さＱが５１５ｍｍとされ、各立体ギャザー部６８の長さＰが３６０ｍｍとされている。
【００３９】
これに対し、図５に示される従来例としての使い捨ておむつにおいては、吸収体５の長手方向長さＳ、即ち全長が５１５ｍｍの場合、左右の各立体ギャザー部２３の長さＲが３８５ｍｍとされていた。
【００４０】
また、貼着された吸収体３５の両端部が直接肌に当たらないように、吸収体３５の長手方向両端部が後背部３１および前腹部３２にそれぞれホットメルト接着剤等により重合状に接合されたエンド押さえシート５０、５１により被覆された構造とされている。この際、図２や図３に示されるように、各エンド押さえシート５０、５１は後背部３１や前腹部３２の領域よりも幅狭な帯状に形成され、後背部３１や前腹部３２の領域、いわゆる腰部周りや腹部周りのウエストギャザー部６５やボディギャザー部６６の領域において、エンド押さえシート５０、５１が存在しない内層シート３６と外層シート３７とからなる二層領域５２が形成された構造とされている。
【００４１】
そして、図３に示されるように、外層シート３７の端部は内層シート３６の端部上面側にそれぞれ折り返されて重合状に接合された構造とされている。
【００４２】
また、各エンド押さえシート５０、５１は、本実施形態においては、撥水性を有するスパンボンド不織布からなる構造とされている。
【００４３】
本実施形態は以上のように構成されており、吸収体３５における吸液マット部４２が単一のマット体４４からなる一層構造であっても、立体ギャザー部６８の長さＰを従来の長さＲと比較して短くした構造とされているため、立体ギャザー部６８の収縮力による吸収体３５の形状変形作用が軽減され、ここに、使い捨ておむつ３０の製造時において、吸収体３５をおむつ本体３４の股部３３上に供給して貼着する際、吸収体３５を所定の姿勢で効率よく供給できるため、貼着不良の発生が有効に防止でき、良好に製造できる利点がある。
【００４４】
また、吸収体３５が単一のマット体４４による一層構造とされているため、前記従来の二層構造とされた吸収体５と比較してより薄く形成された構造となり、ここに、いわゆる薄型タイプの使い捨ておむつ３０となり、着用感に優れるという利点もある。従って、使い捨ておむつ３０を前述のようにおむつカバー方式で利用する場合に、尿取り用パッドと併用した際のごわごわ感も有効に解消され、着用感に優れる利点がある。また、着用者の通常の尿量に応じて、使い捨ておむつ３０単体での着用や尿取り用パッドを併用した着用を適宜選択でき、汎用性にも優れる利点がある。
【００４５】
さらに、各立体ギャザー部６８の長さを３６０ｍｍに構成しているため、使い捨ておむつ３０の製造時において吸収体３５を所定の姿勢で効率よく供給でき、貼着不良の発生が有効に防止できると共に、着用時において立体ギャザー部６８としての機能に支障のない充分な長さも有効に確保できる。
【００４６】
また、従来の二層構造における吸収体５から、単純に下層マット体１６側の下層吸液部１２ｂを省略して、吸収体５を上層マット体１４側の上層吸液部１２ａのみからなる一層構造とした場合と比較して、本実施形態のようにマット体４４に含まれるパルプ繊維の坪量を略１８０ｇ／ｍ2 とすると共に、吸水性ポリマーサップの坪量を略１３５ｇ／ｍ2 としてこれらを混合した構造とすることにより、マット体４４が一層構造の吸収体３５であってもより強い適度な剛性と、より高い適度な吸液性能を発揮でき、使い捨ておむつ３０の製造時における吸収体３５の供給不良による貼着状態の不良発生が有効に防止できる利点がある。
【００４７】
さらに、吸収体３５の各立体ギャザー部６８における立体ギャザー形成用弾性部材４９が、吸収体３５のその他の部位と異なる青色の識別色を有した構造とされているため、立体ギャザー形成用弾性部材４９の識別色によって両側の立体ギャザー部６８の位置が容易に視認でき、使い捨ておむつ３０の尿取り用パッドを併用して使用する場合に、両立体ギャザー部６８間に尿取り用パッドを配置するに際して容易迅速に配置することができ、使い勝手に優れる利点がある。
【００４８】
また、エンド押さえシート５０、５１が撥水性を有するスパンボンド不織布からなる構造としているため、吸収体３５側から後背部３１側や前腹部３２側への尿漏れも有効に防止することができ、着用感の向上が図れる。
【００４９】
なお、上記実施形態において、立体ギャザー部６８における各立体ギャザー形成用弾性部材４９を、吸収体３５のその他の部位と異なる青色の識別色とした構造を示しているが、立体ギャザー部６８を構成するサイドシート４８自体を、その他の部位と異なる識別色としてもよく、実施形態の構造に何ら限定されない。
【００５０】
また、上記実施形態においては、使い捨て吸収性物品としていわゆるパンツ型の使い捨ておむつ３０に採用した構造を示しているが、脱着テープ等によりおむつの前後を着脱自在に止着可能とした使い捨ておむつであってもよく、実施形態の構造に何ら限定されない。
【図面の簡単な説明】
【００５１】
【図１】本発明の実施形態に係る使い捨ておむつの斜視図である。
【図２】同展開図である。
【図３】図２のIII−III線断面矢視図である。
【図４】図２のIV−IV線断面矢視図である。
【図５】従来例に係る使い捨ておむつの展開図である。
【図６】図５のVI−VI線断面矢視図である。
【図７】図５のVII−VII線断面矢視図である。
【図８】同上層マット体の平面図である。
【図９】同下層マット体の平面図である。
【符号の説明】
【００５２】
３０  使い捨ておむつ、３１  後背部、３２  前腹部、３３  股部、３４  おむつ本体、３５  吸収体、３６  内層シート、３７  外層シート、３８  ウエストギャザー形成用弾性部材、３９  ボディギャザー形成用弾性部材、４０  レッグギャザー形成用弾性部材、４２  吸液マット部、４３  被覆シート、４４  マット体、４８  サイドシート、４９  立体ギャザー形成用弾性部材、５０  エンド押さえシート、５１  エンド押さえシート、６５  ウエストギャザー部、６６  ボディギャザー部、６７  レッグギャザー部、６８  立体ギャザー部。
【図１】
2006247010.tif 000003
【図２】
2006247010.tif 000004
【図３】
2006247010.tif 000005
【図４】
2006247010.tif 000006
【図５】
2006247010.tif 000007
【図６】
2006247010.tif 000008
【図７】
2006247010.tif 000009
【図８】
2006247010.tif 000010
【図９】
2006247010.tif 000011